(57)【要約】【課題】収穫量が多く、かつ、相対的にサイズの小さいサツマイモが得られる栽培法を提供すること。【解決手段】耕作地に形成した畝間の寸法Ａと、各畝に植えられるサツマイモの苗株の株間寸法Ｂと、該苗株自体の高さ寸法Ｃと、前記苗株の植え方Ｄとから規定されるサツマイモの栽培方法において、前記畝間の寸法         Ａ＝５０〜８０ｃｍ、前記苗株の株間寸法     Ｂ＝  ５〜２５ｃｍ、前記苗株自体の高さ寸法 Ｃ＝  ８〜１２ｃｍの範囲内にあり、かつ、前記苗株の植え方 Ｄが、耕作地の地面に対して略垂直に苗株が植えられることを特徴とする。  これにより、１０アール（ａ）当たり、約８，０００〜１６，０００本の苗の定植が可能となり、かつ、収穫量が従来法に比較して約６０％の増収となる。さらに、１個当たりの重量が約１００〜３５０グラム（ｇ）のものが全体の収穫量の約６０％を占めようになる。【選択図】図１
2010046021.tif 000002
【特許請求の範囲】
【請求項１】
耕作地に形成した畝間の寸法Ａと、各畝に植えられるサツマイモの苗株の株間寸法Ｂと、該苗株自体の高さ寸法Ｃと、前記苗株の植え方Ｄとから規定されるサツマイモの栽培方法において、
前記畝間の寸法         Ａ＝５０〜８０ｃｍ、
前記苗株の株間寸法     Ｂ＝  ５〜２５ｃｍ、
前記苗株自体の高さ寸法 Ｃ＝  ８〜１２ｃｍの範囲内にあり、
かつ、前記苗株の植え方 Ｄが、耕作地の地面に対して略垂直に苗株が植えられることを特徴とするサツマイモの密植栽培方法。
【請求項２】
前記Ａ，Ｂ，Ｃ及びＤの条件下で、栽培地面積１０アール（ａ）当たり約８，０００〜１６，０００本のサツマイモ苗株を定植することを特徴とする請求項１に記載のサツマイモの密植栽培方法。
【請求項３】
前記Ａ，Ｂ，Ｃ及びＤの条件下で収穫したサツマイモの１個当たりの重量が約１００グラム（ｇ）以上約３５０グラム（ｇ）以下であり、かつ、当該重量範囲内のサツマイモの収穫量が全体の収穫量の少なくとも約５０％以上であることを特徴とする請求項１又は請求項２に記載のサツマイモの密植栽培方法。
【発明の詳細な説明】
【技術分野】
【０００１】
本発明は、１個当たりの重量がかさばらず、商品価値の高いサツマイモを栽培することができ、しかも収穫量を増加できる新規なサツマイモの密植栽培方法に関するものである。
【背景技術】
【０００２】
従来のサツマイモの栽培方法を、図２を参照して説明する。
図２において、耕作地に形成した１ａ，１ｂ，１ｃ・・・・のように山の部分を畝と呼んでいる。また、２ａ，２ｂ，２ｃ・・・・は谷の部分である。そして畝間寸法と言う場合、正確には相隣り合う山の部分、例えば１ａ，１ｂ間の寸法を言うが、相隣り合う谷の部分２ａ，２ｂ間の寸法であっても同じであるため、本発明の説明では相隣り合う谷の部分２ａ，２ｂ間の寸法Ａを畝間寸法として説明する。
【０００３】
上記従来の畝間寸法Ａは、一般的にＡ=７５〜１２０ｃｍであった。
また、従来のサツマイモ栽培方法における隣接するサツマイモ苗株３ａ，３ｂ，３ｃ・・・・の株間寸法Ｂは図４に示すように、Ｂ＝約４０〜５０ｃｍであった。
さらに、サツマイモの苗株自体の高さ寸法Ｃは、Ｃ＝８〜１２ｃｍであり、その苗株の植え方Ｄは、図６乃至図８に示すような方法を採用していた。
【０００４】
すなわち、図６に示す方法は、いわゆる「船底形植え」と称されるもので、土中４に、船底形に横たわった幹苗５ａ，５ｂ，５ｃ・・・・から略垂直に枝苗６ａ，６ｂ，６ｃ，６ｄ・・・・が地上に這い上がるような植え方である。
また、図７に示す方法は、いわゆる「水平形植え」と称されるもので、幹苗７
ａ，７ｂ，７ｃ・・・・が土中４に略水平になるように植えられ、この幹苗７ａ，７ｂ，７ｃ・・・・から略垂直に枝苗８ａ，８ｂ，８ｃ，８ｄ・・・・が地上に這い上がるような植え方である。
【０００５】
図８に示す方法は、いわゆる「斜め挿し形植え」と称されるもので、土中４に幹苗９ａ，９ｂ，９ｃ・・・・が略斜めに植えられ、この幹苗９a，９ｂ，９ｃ・・・・から略垂直に枝苗１０ａ，１０ｂ・・・・が地上に這い上がるような植え方である。
【発明の開示】
【発明が解決しようとする課題】
【０００６】
従来のサツマイモの栽培方法は、上記のように畝間寸法Ａ=７５〜１２０ｃｍ、株間寸法Ｂ＝４０〜５０ｃｍであって、苗の高さ寸法Ｃ＝２０〜２５ｃｍ程度のものを、その植え方（定植方法）Ｃとして「船底形植え」、「水平形植え」、「斜め挿し形植え」等を採用していた。
上記従来の定植方法は１０a当たり約１，７００〜３，３００本定植し、その収穫量は２〜３トン程度であった。また、かかる場合、サツマイモは頂芽優勢であるため、形状が大きく肥大し、1個当たりの重量が重くなっていた。このように従来の定植方法ではサツマイモの苗の定植本数が相対的に少なく、そのため収穫量の増大が望めない。そればかりではなく、1個の重量が重く形状も大きいため、食料品として種々の用途に使い難く商品価値が低下するという難点があった。
【０００７】
本発明は上記の点に鑑みてなされたもので、サツマイモの苗株の定植本数を従来方法と比較して飛躍的に増大させ、その結果、収穫量を増加させるとともに、1個当たりの重量を減少させ、商品価値の高いサツマイモを収穫することができるサツマイモの密植栽培方法を提供することを目的とする。
【課題を解決するための手段】
【０００８】
上記の目的を達成するため、請求項１に記載のサツマイモの密植栽培方法は、耕作地に形成した畝間の寸法Ａと、各畝に植えられるサツマイモの苗株の株間寸法Ｂと、該苗株自体の高さ寸法Ｃと、前記苗株の植え方Ｄとから規定されるサツマイモの栽培方法において、
前記畝間の寸法         Ａ＝５０〜８０ｃｍ、
前記苗株の株間寸法     Ｂ＝  ５〜２５ｃｍ、
前記苗株自体の高さ寸法 Ｃ＝  ８〜１２ｃｍの範囲内にあり、
かつ、前記苗株の植え方 Ｄが、耕作地の地面に対して垂直に苗株が植えられることを特徴とするものである。
尚、畝間の寸法ＡをＡ＝５０〜８０ｃｍの範囲としたのは密植栽培を行うためである。
４９．９ｃｍ以下の場合、定職後の管理作業が困難になることとサツマイモの肥大が悪くなり収穫量が減少する。８０．１ｃｍ以上の場合、定植後の雑草が繁殖し、除草対策に時間がかかることとサツマイモ１個当たりのサイズが肥大し、かつ重量も重くなり商品価値が低下するためである。
株間寸法Ｂを、Ｂ＝５〜２５ｃｍの範囲としたのは、密植栽培する上でもっとも重要なものであり、４．９ｃｍ以下の場合はサツマイモのサイズが小さくなり商品価値がなくなるためである。また、２５．１ｃｍ以上とした場合は逆にサツマイモサイズが大きくなり、これも商品価値が下がるためである。
苗株の高さ寸法をＣ＝８〜１２ｃｍの範囲としたのは苗株本数の増加が目的である。７．９ｃｍ以下の場合は１本の苗における芽数の確保が難しいためである。また、逆の１２．１ｃｍ以上とした場合は苗株本数が減少することと土中における芽数が増加し、余計なサツマイモの数も多くなり、サイズも小さくなり１個の重量も小さくなりその場合も商品価値が下がるためである。
【０００９】
請求項２に記載のサツマイモの密植栽培方法は、前記Ａ，Ｂ，Ｃ及びＤの条件下で、耕作地面積１０アール（a）当たり約８，０００〜１６，０００本のサツマイモ苗株を定植することを特徴とするものである。これにより、１０アール（ａ）当たり、役８，０００〜１６，０００本の苗の定植が可能となり、かつ、収穫量が従来法に比較して約６０％の増収となる。さらに、１個当たりの重量が約１００〜３５０グラム（ｇ）のものが全体の収穫量の約６０％を占めるようになる。
【００１０】
請求項３に記載のサツマイモの密植栽培方法は、前記Ａ，Ｂ，Ｃ及びＤの条件下で収穫したサツマイモの１個当たりの重量が約１００グラム（ｇ）以上約３５０グラム（ｇ）以下であり、かつ、当該重量範囲内のサツマイモの収穫量が全体の収穫量の少なくとも約５０％以上であることを特徴とするものである。
【発明の効果】
【００１１】
本発明は上記のように構成したので、サツマイモの苗株の定植本数を従来方法と比較して飛躍的に増大させ、相対的に収穫量を増加させるとともに、1個当たりの重量を減少させ市場における商品価値の高いサツマイモを収穫することができる。
【実施例】
【００１２】
以下に本発明の実施例を、図３及び図５に基づいて詳細に説明する。
図３は耕作地のある畝に沿った断面図であり、苗株１１ａ，１１ｂ，１１ｃ，１１ｄ・・・・が畝Ｍの地中４に略等間隔に定植される。このとき苗株の株間寸法をＢとすると、Ｂ＝５〜２５ｃｍにする。この株間寸法Ｂは従来の方法では図４に示したようにＢ＝４０〜５０ｃｍであり、苗株の株間寸法Ｂが１／２〜１／１０に縮小され、いわゆる密植栽培を特徴としている。
なお、上記定植方法に使用する苗株自体の高さ寸法Ｃは、Ｃ＝８〜１２ｃｍのものを使用した。
【００１３】
また、定植方法は、図５に示すように地中４から略垂直に苗株１１ａ，１１ｂ，１１ｃ，１１ｄ，１１ｅ，１１ｆ・・・・が成長するような方法を採用している。
本発明のサツマイモの密植栽培方法を採用することにより、４〜５トンの収穫量となり従来方法によるサツマイモの収穫量が１０アール（a）当たり２〜３トンであったのに対して約６０％の増収となる。
【００１４】
次に、本発明のサツマイモの密植栽培方法によって収穫したサツマイモの階級別分布状況を収穫時期第１乃至第３回に分けて表１に示す。
【表１】
2010046021.tif 000003
【００１５】
上記表１からも分かるように収穫したサツマイモの１個当たりの重量が２３０〜３５０ｇ（Ｌサイズ）、１５０〜２３０ｇ（Ｍサイズ）、１００〜１５０ｇ（Ｓサイズ）の階級に属するものの比率が全体の約６０％占めることになる。このことは、市場における商品価値が高まり、販売上極めて有利となる利点がある。
なお、サイズ（２Ｓ以下）が小さすぎても使いづらいため、本発明方法では１個当たりの重量が１５０〜３５０ｇの範囲となるように調整栽培するようにした。また、上記実施例の結果、当該重量範囲のものが約６０％となったが、その比率が５０％以上であれば十分採算が取れることとなる。
さらに上記の実施例では、苗株の植え方Ｄを、いわゆる「直挿し形植え」を採用したが、苗株が略垂直に土中より這い上がるような植え方であれば、本発明の技術的思想の範囲内で種々の改変が可能である。
【図面の簡単な説明】
【００１６】
【図１】本発明のサツマイモの密植栽培方法における畝間の状況の説明図である。
【図２】従来のサツマイモの栽培方法における畝間の状況の説明図である。
【図３】本発明のサツマイモの密植栽培方法における苗株の株間寸法の説明図である。
【図４】従来のサツマイモの栽培方法における苗株の株間寸法の説明図である。
【図５】本発明のサツマイモの密植栽培方法における「直挿し形植え」定植状況を示す説明図である。
【図６】従来のサツマイモの栽培方法における「船底形植え」定植状況を示す説明図である。
【図７】従来のサツマイモの栽培方法における「水平形植え」定植状況を示す説明図である。
【図８】従来のサツマイモの栽培方法における「斜め挿し形植え」定植状況を示す説明図である。
【符号の説明】
【００１７】
１ａ，１ｂ，１ｃ    山の部分（畝）
２ａ，２ｂ，２ｃ    谷の部分
３ａ，３ｂ，３ｃ    サツマイモ苗株
４                  土中
５ａ，５ｂ，５ｃ          幹株
６ａ，６ｂ，６ｃ，６ｄ    枝株
７ａ，７ｂ，７ｃ          幹株
８ａ，８ｂ，８ｃ，８ｄ    枝株
９ａ，９ｂ，９ｃ          幹株
１０ａ，１０ｂ            枝株
１１ａ，１１ｂ，１１ｃ，１１ｄ，１１ｅ，１１ｆ    苗株
Ａ    畝間の寸法
Ｂ    苗株の株間寸法
【図１】
2010046021.tif 000004
【図２】
2010046021.tif 000005
【図３】
2010046021.tif 000006
【図４】
2010046021.tif 000007
【図５】
2010046021.tif 000008
【図６】
2010046021.tif 000009
【図７】
2010046021.tif 000010
【図８】
2010046021.tif 000011